(57)【特許請求の範囲】
【請求項１】
少なくとも前後一対の針床を有する横編機を使用して、前側編地と後側編地とが側端で連結した筒状の編地を編成する際に、前側編地には編地表面側に現れる部分と編地の裏に隠れる部分からなる前パイピングを形成し、後側編地には編地表面側に現れる部分と編地の裏に隠れる部分からなる後パイピングを形成することで前側編地と後側編地のそれぞれを断面２層構造のパイピング状に編成する方法であって、
ａ）前パイピングの編地表側に現れる部分を第１の針床の１本置きの針を使用して編成する工程、
ｂ）後パイピングの編地表側に現れる部分を第２の針床の１本置きの針を使用して編成する工程、
ｃ）前パイピングの編地の裏側に隠れる部分を第２の針床の前記ｂの工程で使用されない針の１本置きの針を使用して編成する工程、
ｄ）後パイピングの編地の裏側に隠れる部分を第１の針床の前記ａの工程で使用されない針の１本置きの針を使用して編成する工程、
上記ａ）〜ｄ）の工程を繰り返し行うことを含むとともに前記前側編地の編成工程（ａまたは／およびｃ）と後側編地の編成工程（ｂまたは／およびｄ）との間に各部分の編目が交絡しないように第１または第２の針床の針に係止される前側編地と後側編地の裏側に隠れる部分の編目を第１または第２の針床の針へと移動する目移しの工程が挿入されることを特徴とする筒状編地の編成方法。
【発明の詳細な説明】
【０００１】
【発明の属する技術分野】
本発明は筒状編地を構成する前側編地と後側編地のそれぞれを断面２層構造のパイピング状に編成する方法に関する。
【０００２】
【従来の技術】
最近、横編機を使用して身頃及び袖を筒状に編成するとともにこれらを編成中に一体化して編機から外された状態で略完成品に近いセーターを生産することが注目されている。横編機の前針床にセーターの袖や身頃の前側部分を、後針床にその後側部分を係止した状態で各部の両端部が繋がった概略筒状の編地が編成できる。上記方法により編成されたものは、縫製工程を不要とするかあっても極僅かですむため作業の煩雑性を軽減できるだけでなく縫い合わせ部がないためニットの伸縮性を損なうことがない。このような生産方式はセーターだけでなく種々のニット衣類に対しても採用されつつあり、これらは一般に無縫製ニットと呼ばれている。ニット衣類の裾部分は一般に１×１等のリブ編み組織で編成されることが多く、リブ編み組織からなる筒状編地の編成方法は例えば本出願人の特公平３−７５６５６号公報に開示されている。
【０００３】
【発明が解決しようとする課題】
しかし、裾部分をリブ編み組織に代えて中空のパイピング状となる袋編みにより編成することは以前から行われているが、筒状編地の裾部分を袋編みで編成する方法を開示したものはかつてなかった。
本発明は筒状編成される編地の始端部や終端部等を含め所定の箇所に中空のパイピング状の袋編み部分を得るための編成方法を提供することを目的とする。
【０００４】
【課題を解決するための手段】
上記した問題を解決するため、本発明の筒状編地の編成方法では、少なくとも前後一対の針床を有する横編機を使用して、前側編地と後側編地とが側端で連結した筒状の編地を編成する際に、前側編地には編地表面側に現れる部分と編地の裏に隠れる部分からなる前パイピングを形成し、後側編地には編地表面側に現れる部分と編地の裏に隠れる部分からなる後パイピングを形成することで前側編地と後側編地のそれぞれを断面２層構造のパイピング状に編成する方法であって、
ａ）前パイピングの編地表側に現れる部分を第１の針床の１本置きの針を使用して編成する工程、
ｂ）後パイピングの編地表側に現れる部分を第２の針床の１本置きの針を使用して編成する工程、
ｃ）前パイピングの編地の裏側に隠れる部分を第２の針床の前記ｂの工程で使用されない針の１本置きの針を使用して編成する工程、
ｄ）後パイピングの編地の裏側に隠れる部分を第１の針床の前記ａの工程で使用されない針の１本置きの針を使用して編成する工程、
上記ａ）〜ｄ）の工程を繰り返し行うことを含むとともに前記前側編地の編成工程（ａまたは／およびｃ）と後側編地の編成工程（ｂまたは／およびｄ）との間に各部分の編目が交絡しないように第１または第２の針床の針に係止される前側編地と後側編地の裏側に隠れる部分の編目を第１または第２の針床の針へと移動する目移しの工程を挿入した。これにより針床上で前後編地の表面側に現れる部分の間に裏側に隠れる部分が挟まれた形で前後パイピング部を構成するそれぞれの部分が同時進行形に編成されるとともに、裏側に現れる各部分が表面側の部分と絡合されないように編目を他方の針床へと移動させながら行う。これにより前後の編地の各断面構造は中空のパイピング状となる。
【０００５】
【発明の実施の形態】
本発明の筒状編地の編成方法として、筒状編成されたセーターの裾部分に袋編み編成を行ないパイピング部を設けた場合について図面と共に詳細に説明する。
本発明の編成方法は前後に一対の針床を対向配設した所謂２枚ベッド横編機や上部針床と下部針床を前後に一対配設した所謂４枚ベッド横編機の何れを使用しても実施することができるが、ここでは２枚ベッド横編機を使用した場合について説明する。
【０００６】
＜実施の形態１＞
図１は無縫製ニットされたセーター１を示し、図２はその裾部分２を拡大して示した断面図である。図３は裾部分の編成手順を示した編成ブロックを示す。図３におけるＦ，Ｂは前針床、後針床を示し、Ａ，Ｂ，Ｃ…は前針床の針、ａ，ｂ，ｃ…は後針床の針を示す。図の右側に編目形成の向きを矢印で示した。尚、編成に使用する針数は説明の便宜上少数とした。
ブロック１〜７は前パイピング（以下、ＦＰという。）と後パイピング（以下、ＢＰという。）の編出し部分Ｓｆ，Ｓｂの編成を示す。先ず右向きの編成が行われ、前針床の針Ａ，Ｃ，Ｅ，Ｇ，Ｉ，Ｋ，Ｍと後針床の針ｂ，ｆ，ｊに給糸してＦＰの編出し編成を行う（ブロック１）。ＦＰの編地表面側に現れる部分（以下、ＦＦＰという。）は前針床の針Ａ，Ｃ，Ｅ，Ｇ，Ｉ，Ｋ，Ｍで編成され、裏に隠れる部分（以下、ＦＢＰという。）は後針床の針ｂ，ｆ，ｊで編成される。
次に後針床の針ｂ，ｆ，ｊに係止される編目を前針床に預けた後（ブロック２）、ブロック３で後針床の針ａ，ｃ，ｅ，ｇ，ｉ，ｋ，ｍと前針床の針Ｄ，Ｈ，Ｌに給糸してＢＰの編出し部のコース編成を行う。ＢＰの編地表面側に現れる部分（以下、ＢＦＰという。）は後針床の針ａ，ｃ，ｅ，ｇ，ｉ，ｋ，ｍで編成され、裏に隠れる部分（以下、ＢＢＰという。）は前針床の針Ｄ，Ｈ，Ｌで編成される。
次に前針床の針Ｂ，Ｄ，Ｆ，Ｈ，Ｊ，Ｍに係止される編目を後針床へ移した後（ブロック４）、前針床の針Ｃ，Ｇ，Ｋに給糸してＦＰの止め編みコースを編成する。ブロック６，７では、後針床の針ｂ，ｄ，ｆ，ｈ，ｊ，ｍに係止される編目を前針床へと移した後、後針床の針ｃ，ｇ，ｋに給糸して後パイピング部の止め編みコースを編成する。
【０００７】
以下、前記止め編み編成に続く各パイピング部の各コース編成について説明する。本実施の形態におけるパイピング部のコース編成は、ＦＦＰ→ＢＦＰ→ＦＢＰ→ＢＢＰの順で行われる。前針床の針Ｄ，Ｈ，Ｌと後針床の針ｂ，ｆ，ｊはそれぞれＢＢＰとＦＢＰの編目コースの編成に使用され、後針床の針ｄ，ｈ，ｌと前針床の針Ｂ，Ｆ，Ｊでは、編目形成は行われることはなく前記ＢＢＰとＦＢＰの編目を預け置く目移し用の補助針として使用する。そのためＦＦＰ，ＢＦＰは１本置きの針を使用して編成されたハーフゲージ（１×１）の編地となり、ＦＢＰ，ＢＢＰは更にそのハーフゲージ（１×３）の編地となる。
先ずブロック８では、前針床に預けられたＦＢＰの編目とＢＢＰの編目を後針床の針へと移してＦＦＰのコース編成の準備を行い、ブロック９で前針床の針Ａ，Ｃ，Ｅ，Ｇ，Ｉ，Ｋ，Ｍに編糸を供給してＦＦＰの編目コースを形成する。ブロック１０では後針床の針に移されたＦＢＰとＢＢＰの編目を前針床の針へと移してＢＦＰのコース編成の準備を行い、ブロック１１で後針床の針ａ，ｃ，ｅ，ｇ，ｉ，ｋ，ｍに編糸を供給してＢＦＰの編目コースを形成する。
次にブロック１２では前針床に預けられたＦＢＰの編目とＢＢＰの編目を後針床の針へと移して次のＦＢＰのコース編成の準備を行い、ブロック１３で後針床の針ｂ，ｆ，ｊに編糸を供給してＦＢＰの編目コースを形成する。ブロック１４では後針床の針に移されたＦＢＰとＢＢＰの編目を前針床の針へと移して次のＢＢＰのコース編成の準備を行い、ブロック１５で後針床の針Ｄ，Ｈ，Ｌに編糸を供給してＢＢＰの編目コースを形成する。
上記ブロック８〜１５の編成を基本サイクルとして繰り返すことで筒状編地の裾に所望長さのパイピング部を形成できる。
【０００８】
ブロック１６は前針床の針Ｄ，Ｈ，Ｌに係止されるＢＢＰの編目を後針床の針ｃ，ｇ，ｋに移動してＢＦＰの編地に重ねる。ブロック１７は、前針床の針Ｂ，Ｆ，Ｊの針に係止されるＦＢＰの編目を一旦後針床の針ｂ，ｆ，ｊに移した後、続くブロック１８でＦＢＰの編目を前針床の針Ａ，Ｅ，Ｉに移してＦＦＰの編地に重ねる。このようにして袋編みして形成された前後パイピング部の上縁部３ｆ，３ｂを閉じ合わせて裾部分の編成を終了する。
ブロック１９，２０は裾部分に続いて編成される身頃部分５の前身と後身のコース編成を示す。身頃部分は平編み編成され、ブロック１９，２０を所定回数繰り返し行う。
【０００９】
＜実施の形態２＞
図４は先行、中行、後行の３系統の編成部を備えたカムボックス（不図示）を使用して筒状編地のパイピング部の編成手順を示した編成ブロック図であり、編出し部分の編成と袋編み編成後のパイピング部上縁の重ね合わせについては先の例と同様に行われるのでここでは省略するものとし、図３におけるブロック８〜１５に対応する編成ブロックのみを示す。編成は２個の給糸部材７，９を使用して行い、先行の編成部でＦＦＰまたはＢＦＰを、中行の編成カムでＦＢＰまたはＢＢＰを編成し、後行の編成部で次のコース編成の準備のための目移しを行う。ブロック１でカムボックスを右行させＦＰのコース編成を行い、先行の編成部でＦＦＰ、中行の編成部でＦＢＰの編目コースを形成し、後行の編成部で次ブロックで行われるＢＰのコース編成の準備のために後針床の針ｂ，ｆ，ｊに係止されるＦＢＰの編目と針ｄ，ｈ，ｌに預けられたＢＢＰの編目を前針床へ移動する。
ブロック２でカムボックスを左行させ、ＢＰのコース編成を行い、先行の編成部でＢＦＰ、中行の編成部でＢＢＰの編目コースを形成し、後行の編成部で次ブロックで行われるＦＰのコース編成の準備のために前針床の針Ｂ，Ｆ，Ｊに預けられたＦＢＰの編目と針Ｄ，Ｈ，Ｌに係止されるＢＢＰの編目を後針床へ移動する。
ブロック３では、ブロック１と同様の編成が行われＦＰのコース編成がなされる。所望長さのパイピング部を得るためにブロック１，２を所定回数繰り返し各パイピング部の袋編みのコース編成を行う。
上記の編成によればカムボックスの１回の移動で編目コースの形成のために２つの編成部を使用するとともに前後何れかのパイピング部のコース編成を行うため編成効率がよい。また、各給糸部材に素材や色等の異なる編糸を使用すればリバーシブルな編地を得ることもできる。
【００１０】
＜実施例３＞編出し部ズラシ
次に変形例を示す。図５はＦＰ及びＢＰの編出し部分に続くＦＦＰとＢＦＰの編目コース数をＦＢＰとＢＢＰのそれよりも多く編成することで図６に示すように筒状編地の裏側の隠れた位置に編出し部Ｓ’ｆ、Ｓ’ｂを配置する方法を示した編成ブロック図である。
ブロック１〜７は編出し及び止め編みコースを含む編出し部分の編成を示す。編出し部分の編成の後、ブロック８〜１１を所定回数繰り返し、ＦＦＰとＢＦＰの編目コースの編成をＦＢＰやＢＢＰのコース数より多くする。そしてブロック１２〜１９を基本サイクルとして所定回数繰り返すことで所望長さのパイピング部を得る。尚、本実施の形態では、ブロック８〜１１を繰り返し編成する際にＦＢＰとＢＢＰの同じ編目が前後針床間を繰り返し移動されるため、繰り返し回数を多く設定するような場合には弾性糸あるいは比較的対摩耗性の高い編糸を編出しコースとなるブロック１とブロック３で使用することが好ましい。ブロック１９に続いては図３におけるブロック１６以降の編成が行われ袋編みの上縁１０ｆ，１０ｂが閉じ合わされパイピング部を完成する。
【００１１】
次に４枚ベッド横編機による編成について説明する。４枚ベッド横編機の場合には、例えば前下針床をＦＦＰ、後下針床をＢＦＰのコース編成に使用し、後上部針床をＦＢＰ、前上部針床をＢＢＰのコース編成に使用できる。この際、下部針床では全針を使用してＦＦＰ，ＢＦＰの編目コースを編成し、上部針床ではＦＢＰ，ＢＢＰを１本置きのハーフゲージとして編成し、対向する上部針床の空き針を預け置き用の補助針とすればよい。
【００１２】
尚、上記にはセーターの裾部分に本発明の編成方法を適用した例について説明したが、裾のような編み始め箇所に限らず編み終わり箇所として適用することもできる。図７は筒状編地の周回編成のバリエーションを示し、ａは図３及び図５の編成シーケンスを、ｂは図４のそれを示す。また図のｃ〜ｅは他の変形例を示し、ｄ，ｅは左右の一側が口を開いた状態の筒状編地の例を示す。周回方向は矢視方向の逆向きに対しても行うことができる。また、筒状編地全体を断面４重の構造を有する編地として編成することも可能であるなど本発明の主旨を逸脱しない範囲において実施できることはいうまでもない。
【００１３】
【発明の効果】
上記したように本発明の筒状編地の編成方法では、筒状編成される編地の始端部や終端部等を含め任意の箇所に中空のパイピング状の袋編み部分を得ることができるのでデザインの多様化が図れる。
【図面の簡単な説明】
【図１】無縫製ニットされたセーター。
【図２】図１のセーターの裾部分を拡大した断面図。
【図３】第１の実施の形態による編成ブロック図。
【図４】第２の実施の形態を示し、多系統の編成部を有する横編機による編成ブロック図。
【図５】変形例を示し、編出し開始部を編地の裏側部に位置させた編成ブロック。
【図６】図５の編成に対応したセーターの裾部分を拡大した断面図。
【図７】筒状編地の周回編成のバリエーションを示す。
【符号の説明】
１…セーター、２…裾、３，１０…上縁部、５…身頃、ＦＰ…前パイピング部、ＢＰ…後パイピング部、ＦＦＰ…ＦＰの編地表面側に現れる部分、ＦＢＰ…ＦＰの裏に隠れる部分、ＢＦＰ…ＢＰの編地表面側に現れる部分、ＢＢＰ…ＢＰの裏に隠れる部分、
【図１】
0003699530.tif 000002
【図２】
0003699530.tif 000003
【図３】
0003699530.tif 000004
【図４】
0003699530.tif 000005
【図５】
0003699530.tif 000006
【図６】
0003699530.tif 000007
【図７】
0003699530.tif 000008